(57)【要約】【課題】自動的に定期的にハードディスクの空き残量を増加できるハードディスク装置を提供する。【解決手段】記録予約のタイトル名が無くなったとき、記録予約のタイトル名と同じタイトル名がタイトルリスト内に有るかが判定され、有ると判定されたとき、設定期間（例えば１ヵ月）の経過後にタイトルリスト内に有る同一タイトル名が指定される。次に、記録レートを１段階下げて当該タイトルを記録し直す場合には、当該同一タイトル名のタイトルを記録したときの記録レートよりも１段階下げた記録レートに設定され、空き残量が所望の残量以上であると判定されたとき、１段階下げた記録レートで前記指定された同一タイトル名のタイトルがリエンコードされダビングが実行される。タイトルの再生の終了が検知されると、ダビング元のタイトルが削除される。【選択図】図５
2008219567.tif 000002
【特許請求の範囲】
【請求項１】
ハードディスクにテレビ番組やその他の情報をタイトルとして記録したり、ハードディスクに記録されたタイトルを再生したりするハードディスク装置において、
当該タイトルが記録済みになって当該タイトルの記録予約のタイトル名が無くなったとき、前記記録予約のタイトル名と同じタイトル名がタイトルリスト内に有るか否かを判定するタイトル名有無判定手段と、
前記記録予約のタイトル名と同じタイトル名がタイトルリスト内に有ると判定されたときに、前記記録予約のタイトル名が無くなってから設定期間の経過を検知すると、タイトルリスト内に有る同一タイトル名を指定する同一タイトル名指定手段と、
前記記録予約のタイトル名と同じタイトル名がタイトルリスト内に無いと判定されたときに、タイトルリスト内に同一周期の記録予約で記録されたタイトルのタイトル名が有るか否かを判定する同一周期記録タイトル名有無判定手段と、
前記タイトルリスト内に同一周期の記録予約で記録されたタイトルのタイトル名が有ると判定されたとき、タイトルリスト内に有る同一周期の記録予約で記録されたタイトルのタイトル名を設定期間の経過後に指定する同一周期記録タイトル指定手段と、
前記タイトルリスト内に同一周期の記録予約で記録されたタイトルのタイトル名が無いと判定されたとき、１回の記録予約により記録されたタイトルのタイトル名が有るか否かを判定する１回予約記録タイトル有無判定手段と、
設定された期間の経過を検知したとき、前記１回の記録予約により記録されたタイトルのタイトル名を指定する１回予約記録タイトル名指定手段と、
タイトルリスト内に有る同一タイトル名が指定された後、またはタイトルリスト内に有る同一周期の記録予約で記録されたタイトルのタイトル名が指定された後、または１回の記録予約により記録されたタイトルのタイトル名を指定された後、記録レートを１段階下げて当該タイトルを記録し直す場合には、当該タイトルを記録したときの記録レートよりも１段階下げた記録レートに設定する第１の記録レート設定手段と、
前記１段階下げた記録レートで当該タイトルをリエンコードしてダビングを実行させたとすれば、ハードディスクの空き残量が所望の残量でないと判定したときに、前記１段階下げた記録レートを更に１段階下げた記録レートに設定する第２の記録レート設定手段と、
前記第１の記録レート設定手段または前記第２の記録レート設定手段により設定された記録レートにより当該タイトルをリエンコードしてダビングを実行させるリエンコードダビング実行手段と、
前記ダビングの終了を検知したとき、ダビング元のタイトルを削除するタイトル削除手段と、を有するシステムコントローラを備えたことを特徴とするハードディスク装置。
【請求項２】
ハードディスクにテレビ番組やその他の情報をタイトルとして記録したり、ハードディスクに記録されたタイトルを再生したりするハードディスク装置において、
当該タイトルが記録済みになって当該タイトルの記録予約のタイトル名が無くなったとき、前記記録予約のタイトル名と同じタイトル名がタイトルリスト内に有るか否かを判定するタイトル名有無判定手段と、
前記記録予約のタイトル名と同じタイトル名がタイトルリスト内に有ると判定されたときに、前記記録予約のタイトル名が無くなってから設定期間の経過を検知すると、タイトルリスト内に有る同一タイトル名を指定する同一タイトル名指定手段と、
前記記録予約のタイトル名と同じタイトル名がタイトルリスト内に無いと判定されたときに、タイトルリスト内に同一周期の記録予約で記録されたタイトルのタイトル名が有るか否かを判定する同一周期記録タイトル名有無判定手段と、
前記タイトルリスト内に同一周期の記録予約で記録されたタイトルのタイトル名が有ると判定されたとき、タイトルリスト内に有る同一周期の記録予約で記録されたタイトルのタイトル名を設定期間の経過後に指定する同一周期記録タイトル指定手段と、
前記タイトルリスト内に同一周期の記録予約で記録されたタイトルのタイトル名が無いと判定されたとき、１回の記録予約により記録されたタイトルのタイトル名が有るか否かを判定する１回予約記録タイトル有無判定手段と、
設定された期間の経過を検知したとき、前記１回の記録予約により記録されたタイトルのタイトル名を指定する１回予約記録タイトル名指定手段と、
タイトルリスト内に有る同一タイトル名が指定された後、またはタイトルリスト内に有る同一周期の記録予約で記録されたタイトルのタイトル名が指定された後、または１回の記録予約により記録されたタイトルのタイトル名を指定された後、記録レートを下げて当該タイトルを記録し直す場合には、当該タイトルを記録したときの記録レートよりも所定段階下げた記録レートに設定する記録レート設定手段と、
前記記録レート設定手段により設定された記録レートにより当該タイトルをリエンコードしてダビングを実行させるリエンコードダビング実行手段と、
前記ダビングの終了を検知したとき、ダビング元のタイトルを削除するタイトル削除手段と、を有するシステムコントローラを備えたことを特徴とするハードディスク装置。
【請求項３】
前記記録レート設定手段は、タイトルリスト内に有る同一タイトル名が指定された後、またはタイトルリスト内に有る同一周期の記録予約で記録されたタイトルのタイトル名が指定された後、または１回の記録予約により記録されたタイトルのタイトル名を指定された後、記録レートを１段階下げて当該タイトルを記録し直す場合には、当該タイトルを記録したときの記録レートよりも１段階下げた記録レートに設定する第１の記録レート設定手段と、前記１段階下げた記録レートで当該タイトルをリエンコードしてダビングを実行させたとすれば、ハードディスクの空き残量が所望の残量でないと判定したときに、前記１段階下げた記録レートを更に１段階下げた記録レートに設定する第２の記録レート設定手段とを有することを特徴とする請求項２に記載のハードディスク装置。
【発明の詳細な説明】
【技術分野】
【０００１】
本発明は、ハードディスクにテレビ番組やその他の情報をタイトルとして記録したり、ハードディスクに記録されたタイトルを再生したりするハードディスク装置に関し、特に、ハードディスクの空き残量を増加させるための処理に関する。
【背景技術】
【０００２】
近年、映像情報および音声情報のデジタル化および、そのデータの圧縮技術の目覚しい発達により、磁気テープであるビデオカセットテープに対して映像音声情報を記録／再生するＶＣＲ（ビデオカセットレコーダ）に代わり、光ディスクであるＤＶＤ（デジタルバーサタイルディスク）に対して映像音声情報を記録／再生する光ディスク装置（ＤＶＤレコーダ）や、ハードディスクに対して映像音声情報を記録／再生するハードディスク装置（ハードディスクレコーダ）が普及している。
【０００３】
ところで、ＤＶＤは、ディスク１枚当たり例えば約４．７ＧＢ程度の容量になるが、ハードディスクは、８０ＧＢから数百ＧＢの容量を持っているので、ハードディスクは、テレビ番組のような長時間の情報を記録するのに適している。したがって、テレビ番組を記録するのに、ハードディスク装置が用いられることが多い。
【０００４】
ハードディスク装置を用いてテレビ番組が記録されるが、テレビ番組としては、ドラマ番組やトーク番組あるいはニュース番組などが有る。ドラマ番組は、１回切のものや、毎週決まった曜日に放送され、放送期間が１ヵ月〜１２ヵ月のものがある。また、トーク番組は、１回切りのものや、毎週決まった曜日に放送され、放送期間は未定で何年も続いているものもある。また、ニュース番組は、月曜日から金曜日まで同じ時間帯に放送されるものや、土曜日の同じ時間帯に放送されるものや、日曜日の同じ時間帯に放送されるものなどが有る。
【０００５】
このようなテレビ番組を記録するために、ハードディスク装置に対して記録予約を行う場合、１回切りの番組については、チャンネルと放送日時を指定して、当日の記録開始時刻になれば、記録を開始させ、記録終了時刻になれば、記録を終了させるようにする１回の記録予約を行い、また、毎週放送される番組については、チャンネルと放送曜日と記録開始時刻と記録終了時刻を指定して、指定曜日に記録開始時刻になれば、記録を開始させ、記録終了時刻になれば、記録を終了させるようにする周期的記録予約を行っている。
【特許文献１】特開２００６−２１７０４９号公報
【特許文献２】特開２００５−１９０６００号公報
【特許文献３】特開２００４−３２８６０８号公報
【発明の開示】
【発明が解決しようとする課題】
【０００６】
しかしながら、従来のハードディスク装置において、前記のように毎週放送される番組を記録するような場合、周期的記録予約により所望の番組をハードディスクに溜め撮りすることが多くなり、ハードディスクに記録された番組を視聴していないのに、いつの間にかにハードディスクの空き残量が残り少なくなってしまっていると言うことが良くあり、その場合、他の記録媒体、例えば、ＤＶＤにハードディスクに記録されている番組をダビングし、この後、ハードディスクに記録されている元の番組を削除して、ハードディスクの空き残量を増加させたりし、また、他の記録媒体が無い場合や、ダビングしてまで視聴するような番組でない場合は、不要な番組を削除して、ハードディスクの空き残量を増加させたりしていると言う課題があった。
【０００７】
そこで、特許文献１の従来技術では、同一番組をハードディスクの記録容量が少なくて済む低い録画画質モード（記録レート；記録ビットレート）で記録し直したファイルを作成することにより、ハードディスクの記録容量が一杯になった際に、記録容量が大きい録画ファイルを削除し、低画質モードで記録したファイルを残すことにより、ハードディスクに空き容量を作成している。
【０００８】
しかし、この従来技術は、自動的に定期的に空き容量を確保している訳ではなく、ハードディスクの記録容量が一杯になってから空き容量を作成しているが、記録容量が大きい録画ファイルを削除するために、記録容量が大きい番組を探し出したり、低画質モードで記録し直す番組を選択したりする作業に手間と時間が多く要すると言う課題が生じる。また、自動的に定期的にハードディスクの残容量を確保しているのではないので、記録したい番組の記録容量が現時点のハードディスクの残容量を越えるような場合があったとき、ハードディスクの空き容量を確保するための前記作業を行ってからでないと、記録したい番組が全部記録できず、例えば、当該番組を初めから記録できず、また、記録中に空き容量の不足が生じた場合に、当該番組を全部記録できないと言う課題が生じる。
【０００９】
また、特許文献２の従来技術では、記録設定を高レート（高記録レート）で記録したコンテンツを、他に設定された予約記録を開始した時と同時に再生し、低レート（低記録レート）に変化させた後、再度、ハードディスクへ記録し直すことにより、ハードディスクの残容量を確保すること可能にしている。
【００１０】
しかし、この従来技術は、自動的に定期的にハードディスクの残容量（空き残量）を確保しているのではないので、記録したい番組の記録容量が現時点のハードディスクの残容量を越えるような場合があった場合、ハードディスクの空き容量を確保するための作業を行ってからでないと、記録したい番組が全部記録できず、例えば、当該番組を初めから記録できず、また、記録中に空き容量の不足が生じた場合に、当該番組を全部記録できないと言う課題が生じる。
【００１１】
また、特許文献３の従来技術では、記録媒体の空き容量（空き残量）が不足している場合に、ユーザが容易に削除すべき番組を判断することができるよう、空き容量を確保するために削除すべき番組候補を検索しているが、自動的に定期的に空き容量を増加している訳ではないので、削除すべき番組候補を検索する作業が面倒であり、また、記録したい番組の記録容量が現時点の記録媒体の空き容量（空き残量）を越えるような場合があった場合、記録媒体の空き容量を増加するための前記作業を行ってからでないと、記録したい番組が全部記録できず、例えば、当該番組を初めから記録できず、また、記録中に空き容量（空き残量）の不足が生じた場合に、当該番組を全部記録できないと言う課題が生じる。
【００１２】
本発明は、上記のような課題を解決するためになされたもので、自動的に定期的にハードディスクの空き残量を増加させることができるハードディスク装置を提供することを目的とする。
【課題を解決するための手段】
【００１３】
上記目的を達成するために、請求項１の発明は、当該タイトルが記録済みになって当該タイトルの記録予約のタイトル名が無くなったとき、前記記録予約のタイトル名と同じタイトル名がタイトルリスト内に有るか否かを判定するタイトル名有無判定手段と、前記記録予約のタイトル名と同じタイトル名がタイトルリスト内に有ると判定されたときに、前記記録予約のタイトル名が無くなってから設定期間の経過を検知すると、タイトルリスト内に有る同一タイトル名を指定する同一タイトル名指定手段と、前記記録予約のタイトル名と同じタイトル名がタイトルリスト内に無いと判定されたときに、タイトルリスト内に同一周期の記録予約で記録されたタイトルのタイトル名が有るか否かを判定する同一周期記録タイトル名有無判定手段と、前記タイトルリスト内に同一周期の記録予約で記録されたタイトルのタイトル名が有ると判定されたとき、タイトルリスト内に有る同一周期の記録予約で記録されたタイトルのタイトル名を設定期間の経過後に指定する同一周期記録タイトル指定手段と、前記タイトルリスト内に同一周期の記録予約で記録されたタイトルのタイトル名が無いと判定されたとき、１回の記録予約により記録されたタイトルのタイトル名が有るか否かを判定する１回予約記録タイトル有無判定手段と、設定された期間の経過を検知したとき、前記１回の記録予約により記録されたタイトルのタイトル名を指定する１回予約記録タイトル名指定手段と、タイトルリスト内に有る同一タイトル名が指定された後、またはタイトルリスト内に有る同一周期の記録予約で記録されたタイトルのタイトル名が指定された後、または１回の記録予約により記録されたタイトルのタイトル名を指定された後、記録レートを１段階下げて当該タイトルを記録し直す場合には、当該タイトルを記録したときの記録レートよりも１段階下げた記録レートに設定する第１の記録レート設定手段と、前記１段階下げた記録レートで当該タイトルをリエンコードしてダビングを実行させたとすれば、ハードディスクの空き残量が所望の残量でないと判定したときに、前記１段階下げた記録レートを更に１段階下げた記録レートに設定する第２の記録レート設定手段と、前記第１の記録レート設定手段または前記第２の記録レート設定手段により設定された記録レートにより当該タイトルをリエンコードしてダビングを実行させるリエンコードダビング実行手段と、前記ダビングの終了を検知したとき、ダビング元のタイトルを削除するタイトル削除手段と、を有するシステムコントローラを備えたことを特徴とするハードディスク装置を提供する。
【００１４】
この構成において、当該タイトルが記録済みになって当該タイトルの記録予約のタイトル名が無くなったとき、タイトル名有無判定手段は、前記記録予約のタイトル名と同じタイトル名がタイトルリスト内に有るか否かを判定する。前記記録予約のタイトル名と同じタイトル名が、そのタイトルリスト内に有ると判定されたとき、同一タイトル名指定手段は、前記記録予約のタイトル名が無くなってから設定期間の経過を検知すると、タイトルリスト内に有る同一タイトル名を指定する。
【００１５】
次に、記録レートを１段階下げて当該同一タイトル名のタイトルを記録し直す場合には、第１の記録レート設定手段は、当該同一タイトル名のタイトルを記録したときの記録レートよりも１段階下げた記録レートに設定する。当該同一タイトル名のタイトルを記録したときの記録レートよりも１段階下げた記録レートに設定された後、記録レートを１段階下げたことにより、ハードディスクの空き残量が増えることになるが、空き残量が所望の残量以上であると判定されたとき、リエンコードダビング実行手段は、前記１段階下げた記録レートで当該同一タイトル名のタイトルをリエンコードしてダビングを実行させる。
【００１６】
また、前記１段階下げた記録レートで当該同一タイトル名のタイトルをリエンコードしてダビングを実行させたとすれば、第２の記録レート設定手段は、ハードディスクの空き残量が所望の残量でないと判定したときに、前記１段階下げた記録レートを更に１段階下げた記録レートに設定する。そして、リエンコードダビング実行手段は、前記２段階下げた記録レートで当該同一タイトル名のタイトルをリエンコードしてダビングを実行させる。
【００１７】
このようにして、前記第１の記録レート設定手段または前記第２の記録レート設定手段により設定された記録レートにより、当該同一タイトル名のタイトルはリエンコードダビングが実行され、タイトル削除手段が、当該同一タイトル名のタイトルの再生の終了を検知することにより、前記ダビングの終了を検知したとき、ダビング元の当該同一タイトル名のタイトルをまとめて削除する。
【００１８】
次に、前記記録予約のタイトル名と同じタイトル名がタイトルリスト内に無いと判定されたときに、同一周期記録タイトル名有無判定手段は、タイトルリスト内に同一周期の記録予約で記録されたタイトルのタイトル名が有るか否かを判定する。前記タイトルリスト内に同一周期の記録予約で記録されたタイトルのタイトル名が有ると判定されたとき、同一周期記録タイトル指定手段は、タイトルリスト内に有る同一周期の記録予約で記録されたタイトルのタイトル名を指定する。
【００１９】
そして、記録レートを１段階下げて当該タイトルを記録し直す場合には、第１の記録レート設定手段は、当該同一周期記録タイトル名のタイトルを記録したときの記録レートよりも１段階下げた記録レートに設定する。空き残量が所望の残量以上であると判定されたとき、リエンコードダビング実行手段は、前記１段階下げた記録レートで当該同一周期記録タイトル名のタイトルをリエンコードしてダビングを実行させる。
【００２０】
また、前記１段階下げた記録レートで当該同一周期記録タイトル名のタイトルをリエンコードしてダビングを実行させたとすれば、ハードディスクの空き残量が所望の残量でないと判定されたときに、第２の記録レート設定手段は、前記１段階下げた記録レートを更に１段階下げた記録レートに設定する。そして、リエンコードダビング実行手段は、前記２段階下げた記録レートで当該同一周期記録タイトル名のタイトルをリエンコードしてダビングを実行させる。
【００２１】
このようにして、前記第１の記録レート設定手段または前記第２の記録レート設定手段により設定された記録レートにより、当該同一周期記録タイトル名のタイトルはリエンコードダビングが実行され、タイトル削除手段が、当該同一周期記録タイトル名のタイトルの再生の終了を検知することにより、前記ダビングの終了を検知したとき、ダビング元の当該同一周期記録タイトル名のタイトルをまとめて削除する。
【００２２】
次に、前記タイトルリスト内に同一周期の記録予約で記録されたタイトルのタイトル名が無いと判定されたとき、１回予約記録タイトル有無判定手段は、１回の記録予約により記録されたタイトルのタイトル名が有るか否かを判定する。そして、タイトル名が有ると判定された後、１回予約記録タイトル名指定手段は、設定された期間の経過を検知したとき、前記１回の記録予約により記録されたタイトルのタイトル名を指定する。この後は、以下同様な処理を行う。
【００２３】
この構成によれば、ハードディスクに記録されているタイトルを自動的に定期的に記録レートを下げて、リエンコードダビングを行って、ハードディスクの空き残量を増加できるようにしたので、ハードディスクの空き残量を増やすためにハードディスクに記録されているタイトルを移すＤＶＤなどの他の記録媒体が無い場合でも、ハードディスクの番組を極力削除せずに、ハードディスクの空き残量を定期的に増やすことができ、これにより、ハードディスクは常に十分な空き残量を確保でき、所望の番組をいつでも記録することが可能になり、使い勝手が向上する。
【００２４】
請求項２の発明は、当該タイトルが記録済みになって当該タイトルの記録予約のタイトル名が無くなったとき、前記記録予約のタイトル名と同じタイトル名がタイトルリスト内に有るか否かを判定するタイトル名有無判定手段と、前記記録予約のタイトル名と同じタイトル名がタイトルリスト内に有ると判定されたときに、前記記録予約のタイトル名が無くなってから設定期間の経過を検知すると、タイトルリスト内に有る同一タイトル名を指定する同一タイトル名指定手段と、前記記録予約のタイトル名と同じタイトル名がタイトルリスト内に無いと判定されたときに、タイトルリスト内に同一周期の記録予約で記録されたタイトルのタイトル名が有るか否かを判定する同一周期記録タイトル名有無判定手段と、前記タイトルリスト内に同一周期の記録予約で記録されたタイトルのタイトル名が有ると判定されたとき、タイトルリスト内に有る同一周期の記録予約で記録されたタイトルのタイトル名を設定期間の経過後に指定する同一周期記録タイトル指定手段と、前記タイトルリスト内に同一周期の記録予約で記録されたタイトルのタイトル名が無いと判定されたとき、１回の記録予約により記録されたタイトルのタイトル名が有るか否かを判定する１回予約記録タイトル有無判定手段と、設定された期間の経過を検知したとき、前記１回の記録予約により記録されたタイトルのタイトル名を指定する１回予約記録タイトル名指定手段と、タイトルリスト内に有る同一タイトル名が指定された後、またはタイトルリスト内に有る同一周期の記録予約で記録されたタイトルのタイトル名が指定された後、または１回の記録予約により記録されたタイトルのタイトル名を指定された後、記録レートを下げて当該タイトルを記録し直す場合には、当該タイトルを記録したときの記録レートよりも所定段階下げた記録レートに設定する記録レート設定手段と、前記記録レート設定手段により設定された記録レートにより当該タイトルをリエンコードしてダビングを実行させるリエンコードダビング実行手段と、前記ダビングの終了を検知したとき、ダビング元のタイトルを削除するタイトル削除手段とを有するシステムコントローラを備えたことを特徴とするハードディスク装置を提供する。
【００２５】
この構成において、当該タイトルが記録済みになって当該タイトルの記録予約のタイトル名が無くなったとき、タイトル名有無判定手段は、前記記録予約のタイトル名と同じタイトル名がタイトルリスト内に有るか否かを判定する。前記記録予約のタイトル名と同じタイトル名が、そのタイトルリスト内に有ると判定されたとき、同一タイトル名指定手段は、前記記録予約のタイトル名が無くなってから設定期間の経過を検知すると、タイトルリスト内に有る同一タイトル名を指定する。
【００２６】
次に、記録レートを所定段階下げて当該同一タイトル名のタイトルを記録し直す場合には、記録レート設定手段は、当該同一タイトル名のタイトルを記録したときの記録レートよりも所定段階下げた記録レートに設定する。当該同一タイトル名のタイトルを記録したときの記録レートよりも所定段階下げた記録レートに設定された後、リエンコードダビング実行手段は、前記所定段階下げた記録レートで当該同一タイトル名のタイトルをリエンコードしてダビングを実行させる。
【００２７】
このようにして、前記記録レート設定手段により設定された記録レートにより、当該同一タイトル名のタイトルはリエンコードダビングが実行され、タイトル削除手段が、当該同一タイトル名のタイトルの再生の終了を検知することにより、前記ダビングの終了を検知したとき、ダビング元の当該同一タイトル名のタイトルを削除する。
【００２８】
次に、前記記録予約のタイトル名と同じタイトル名がタイトルリスト内に無いと判定されたときに、同一周期記録タイトル名有無判定手段は、タイトルリスト内に同一周期の記録予約で記録されたタイトルのタイトル名が有るか否かを判定する。前記タイトルリスト内に同一周期の記録予約で記録されたタイトルのタイトル名が有ると判定されたとき、同一周期記録タイトル指定手段は、タイトルリスト内に有る同一周期の記録予約で記録されたタイトルのタイトル名を指定する。
【００２９】
そして、記録レートを所定段階下げて当該同一周期記録タイトル名のタイトルを記録し直す場合には、記録レート設定手段は、当該同一周期記録タイトル名のタイトルを記録したときの記録レートよりも所定段階下げた記録レートに設定する。リエンコードダビング実行手段は、前記所定段階下げた記録レートで当該同一周期記録タイトル名のタイトルをリエンコードしてダビングを実行させる。
【００３０】
このようにして、前記所定段階下げられた記録レートにより、当該同一周期記録タイトル名のタイトルはリエンコードダビングが実行され、タイトル削除手段が、当該同一周期記録タイトル名のタイトルの再生の終了を検知することにより、前記ダビングの終了を検知したとき、ダビング元の当該同一周期記録タイトル名のタイトルを削除する。
【００３１】
次に、前記タイトルリスト内に同一周期の記録予約で記録されたタイトルのタイトル名が無いと判定されたとき、１回予約記録タイトル有無判定手段は、１回の記録予約により記録されたタイトルのタイトル名が有るか否かを判定する。そして、タイトル名が有ると判定された後、１回予約記録タイトル名指定手段は、設定された期間の経過を検知したとき、前記１回の記録予約により記録されたタイトルのタイトル名を指定する。この後は、以下同様な処理を行う。
【００３２】
この構成によれば、ハードディスクに記録されているタイトルを自動的に定期的に記録レートを下げて、リエンコードダビングを行って、ハードディスクの空き残量を増加できるようにしたので、ハードディスクの空き残量を増やすためにハードディスクに記録されているタイトルを移すＤＶＤなどの他の記録媒体が無い場合でも、ハードディスクの番組を極力削除せずに、ハードディスクの空き残量を定期的に増やすことができ、これにより、ハードディスクは常に十分な空き残量を確保でき、所望の番組をいつでも記録することが可能になり、使い勝手が向上する。
【００３３】
請求項３の発明では、請求項２の発明において、前記記録レート設定手段は、タイトルリスト内に有る同一タイトル名が指定された後、またはタイトルリスト内に有る同一周期の記録予約で記録されたタイトルのタイトル名が指定された後、または１回の記録予約により記録されたタイトルのタイトル名を指定された後、記録レートを１段階下げて当該タイトルを記録し直す場合には、当該タイトルを記録したときの記録レートよりも１段階下げた記録レートに設定する第１の記録レート設定手段と、前記１段階下げた記録レートで当該タイトルをリエンコードしてダビングを実行させたとすれば、ハードディスクの空き残量が所望の残量でないと判定したときに、前記１段階下げた記録レートを更に１段階下げた記録レートに設定する第２の記録レート設定手段とを有することを特徴とする。
【００３４】
この構成においては、前記記録レート設定手段は、第１の記録レート設定手段と第２の記録レート設定手段を有するので、記録レートを１段階下げても、所望のハードディスクの空き残量を確保できない場合、記録レートを更に１段階下げることによって、所望のハードディスクの空き残量を確保できる。
【発明の効果】
【００３５】
以上のように本発明によれば、ハードディスクに記録されているタイトルを自動的に定期的に記録レートを下げて、リエンコードダビングを行って、ハードディスクの空き残量を増加できるようにしたので、ハードディスクの空き残量を増やすためにハードディスクに記録されているタイトルを移すＤＶＤなどの他の記録媒体が無い場合でも、ハードディスクの番組を極力削除せずに、ハードディスクの空き残量を定期的に増やすことができ、これにより、ハードディスクは常に十分な空き残量を確保でき、所望の番組をいつでも記録することが可能になり、使い勝手が向上する。
【発明を実施するための最良の形態】
【００３６】
以下、添付図面を参照しつつ、本発明の実施の形態について説明する。図１は本発明の一実施形態に係るハードディスク装置の構成を示すブロック図である。
【００３７】
このハードディスク装置Ａは、アンテナ１ａを介してテレビ放送信号を受信して所望の放送局のテレビ放送信号を選局するチューナ１、このチューナ１からの映像音声信号を復調する復調部２、外部から入力されてくる映像音声信号を復調する復調部３、復調部２または復調部３で復調された映像音声信号をＭＰＥＧ方式で圧縮処理する圧縮処理部４、前記圧縮処理された映像音声データをＨＤ（ハードディスク）５ａに書き込んだりＨＤ５ａに記録された映像音声データを読み出したりするＨＤＤ（ハードディスクドライブ）５、およびＨＤＤ５によりＨＤ５ａから読み出した映像音声データを元の映像音声データに復元する伸張処理部６を備えている。
【００３８】
また、このハードディスク装置Ａは、前記復元した映像音声データのうち映像データ（システムコントローラ１０からのタイトルリスト画面のデータやメッセージデータなどがある場合はタイトルリスト画面のデータやメッセージデータなどを重畳した映像データ）を表示可能な映像信号に変換してテレビ受信機８のディスプレイ装置８１に供給するＯＳＤ（オンスクリーンディスプレイ）部７、伸張処理部６で復元した映像音声データのうち音声データをデジタル信号からアナログ信号に変換してテレビ受信機８のスピーカ８３に接続された音声出力装置８２に音声信号を供給するＤ／Ａ変換部９、圧縮処理部４による圧縮処理時や伸張処理部６による伸張処理時に映像音声データを一時的に格納するＲＡＭ１５、装置全体の動作を制御するシステムコントローラ１０、このシステムコントローラ１０に各種キー操作信号を入力する本体のキー入力部１１、リモコン１３からの赤外線の各種キー操作信号を受信するキー受信部１２、およびシステムコントローラ１０の処理に必要なプログラムやデータなどが記録されたフラッシュＲＯＭ１４を備えている。
【００３９】
システムコントローラ１０は、本実施形態の特徴とする構成要素として、当該タイトルが記録済みになって当該タイトルの記録予約のタイトル名が無くなったとき、前記記録予約のタイトル名と同じタイトル名がタイトルリスト内に有るか否かを判定するタイトル名有無判定手段と、前記記録予約のタイトル名と同じタイトル名がタイトルリスト内に有ると判定されたときに、前記記録予約のタイトル名が無くなってから設定期間の経過を検知すると、タイトルリスト内に有る同一タイトル名を指定する同一タイトル名指定手段と、前記記録予約のタイトル名と同じタイトル名がタイトルリスト内に無いと判定されたときに、タイトルリスト内に同一周期の記録予約で記録されたタイトルのタイトル名が有るか否かを判定する同一周期記録タイトル名有無判定手段と、前記タイトルリスト内に同一周期の記録予約で記録されたタイトルのタイトル名が有ると判定されたとき、タイトルリスト内に有る同一周期の記録予約で記録されたタイトルのタイトル名を設定期間の経過後に指定する同一周期記録タイトル指定手段とを有する。
【００４０】
また、システムコントローラ１０は、前記タイトルリスト内に同一周期の記録予約で記録されたタイトルのタイトル名が無いと判定されたとき、１回の記録予約により記録されたタイトルのタイトル名が有るか否かを判定する１回予約記録タイトル有無判定手段と、設定された期間の経過を検知したとき、前記１回の記録予約により記録されたタイトルのタイトル名を指定する１回予約記録タイトル名指定手段と、タイトルリスト内に有る同一タイトル名が指定された後、またはタイトルリスト内に有る同一周期の記録予約で記録されたタイトルのタイトル名が指定された後、または１回の記録予約により記録されたタイトルのタイトル名を指定された後、記録レートを１段階下げて当該タイトルを記録し直す場合には、当該タイトルを記録したときの記録レートよりも１段階下げた記録レートに設定する第１の記録レート設定手段と、前記１段階下げた記録レートで当該タイトルをリエンコードしてダビングを実行させたとすれば、ＨＤ５ａの空き残量が所望の残量でないと判定したときに、前記１段階下げた記録レートを更に１段階下げた記録レートに設定する第２の記録レート設定手段と、前記第１の記録レート設定手段または前記第２の記録レート設定手段により設定された記録レートにより当該タイトルをリエンコードしてダビングを実行させるリエンコードダビング実行手段と、前記ダビングの終了を検知したとき、ダビング元のタイトルを削除するタイトル削除手段とを有する。
【００４１】
図２は本実施形態においてリモコンのキー配置の一例を示す図である。図２において、リモコン１３の操作パネル２００には、ＴＶ電源キー２１１、入力切換キー２１２、ＨＤＤ電源キー２１３、音量キー２１４、複数の数字キー２１５、再生リストキー２１６、機能表示キー２１７、上方向きー２１８、下方向キー２１９、左方向キー２２０、右方向キー２２１、決定キー２２２、番組表キー２２３、記録キー２２４、一時停止キー２２５、早戻しキー２２６、停止キー２２７、再生キー２２８、早送りキー２２９などが配置されている。なお、ここでのキーの配置および個数は一例であるので、これに限ることはない。
【００４２】
図３は本実施形態においてディスプレイ装置に表示される記録予約画面の一例を示す表示画面図である。この記録予約画面８１ａには、放送日を示す放送日データ３１、テレビ放送局のチャンネルを示すチャンネルデータ３２、記録開始時刻を示す記録開始時刻データ３３、記録終了時刻を示す記録終了時刻データ３４、記録する番組が連続番組であるかを示す連続番組データ３５、および当該番組を記録する記録モード（記録ビットレート）を示す記録モードデータ３６がユーザのリモコン操作により入力され、それらのデータが表示される。なお、ＥＰＧ（電子番組ガイド）データを利用できる場合は、図３に示す記録予約画面８１ａに換えて、ＥＰＧの画面から放送番組を選択することによって、記録予約に関するデータを入力しても良い。
【００４３】
図４は本実施形態においてディスプレイ装置に表示されるタイトルリスト画面の一例を示す表示画面図である。このタイトルリスト画面８１ｂには、ハードディスクに記録されたタイトル（番組）のタイトル名（番組名）と、各タイトルの記録年月日と、タイトル番号（Ｎｏ，）と、記録モードがＳＰである場合の残り記録可能時間とが表示されている。また、タイトル名の中で、カーソル４２で指示されたタイトル名のサムネイル画像４１が表示されている。このタイトルリスト画面８１ｂによれば、連続ドラマであるタイトル名「木曜ドラマ」が、２００６年８月３日から毎週木曜日に記録されていることが分かる。このような連続ドラマを記録予約する場合は、ハードディスク装置において、連続番組データ、チャンネル、曜日、記録開始時刻、記録終了時刻、および記録モードを設定しておけば、自動的に連続ドラマがハードディスクに記録される。
【００４４】
例えば、このような「木曜ドラマ」の毎週記録予約において、そのタイトル名「木曜ドラマ」の予約が無くなったら、その１ヵ月後に、ハードディスクに記録されている同一タイトル名の番組、この例の場合、「木曜ドラマ」の映像音声データに対してリエンコードダビングを行う。また、記録予約のタイトル名が無い場合（記録開始時刻や記録終了時刻など時間で予約している場合）、例えば、１月、４月、７月、１０月の第１週目になると、自動的に毎週記録予約で記録されている同一番組に対して前３ヵ月分をまとめて記録レートを下げてリエンコードダビングする。また、１回の記録予約で記録されたタイトルの場合は、１ヵ月、３ヵ月、６ヵ月などの期間を選択できるようにし、そのタイトルを記録してから、その期間が経過すると、自動的にリエンコードダビングを行う。また、どの記録レートでダビングをやり直すか、または記録レートを下げたくない場合などは、個別のタイトル毎にも設定可能にする。
【００４５】
図５は本実施形態のハードディスク装置において記録予約のタイトル名が無くなったときの処理を説明するためのフローチャートである。このフローチャートおよび図１〜図４を参照してハードディスク装置において記録予約のタイトル名が無くなったときの処理について説明する。
【００４６】
先ず、システムコントローラ１０のタイトル名有無判定手段は、ユーザのリモコン操作により入力された記録予約のタイトル名のデータがフラッシュＲＯＭ１４の記録予約領域から無くなったことを検知すると（ステップＳ１）、ＨＤＤ５を再生動作させ、ＨＤ５ａに記録されているタイトルリストを読み出し、前記記録予約のタイトル名と同じタイトル名が、そのタイトルリスト内に有るか否かを当該タイトルの管理情報により判定する（ステップＳ２）。
【００４７】
即ち、フラッシュＲＯＭ１４の記録予約領域に記憶された記録予約のタイトル名のデータは、そのタイトル名のタイトルがＨＤ５ａに記録された後、記録予約のためのタイトル名のデータでは無くなるので、フラッシュＲＯＭ１４の予約履歴領域に移され、不要になるまで保持される。したがって、当該タイトルの記録が完了した後は、システムコントローラ１０のタイトル名有無判定手段は、フラッシュＲＯＭ１４の記録予約領域に記憶された記録予約のタイトル名のデータが無くなったことを検知することになる（ステップＳ１）。また、当該タイトルの記録完了後は、記録予約により記録されたタイトルのタイトル名がタイトルリストに存在することになるので、タイトル名有無判定手段は、フラッシュＲＯＭ１４の予約履歴領域に記憶された記録予約のタイトル名に対応するタイトル名と同じタイトル名がタイトルリスト内に有ることを検知することになる（ステップＳ２）。
【００４８】
前記記録予約のタイトル名と同じタイトル名が、そのタイトルリスト内に有ると判定されたとき、システムコントローラ１０の同一タイトル名指定手段は、前記記録予約のタイトル名が無くなってから設定期間（例えば１ヵ月）の経過を図示しないタイマの計時により検知すると（ステップＳ３）、タイトルリスト内に有る同一タイトル名を当該タイトルの管理情報により検索して指定する（ステップＳ４）。例えば、図４に示すタイトルリスト画面８１ｂで言えば、タイトル名「木曜ドラマ」を指定する。
【００４９】
次に、記録レートを１段階下げて当該タイトルを記録し直す場合には（ステップＳ５）、システムコントローラ１０の第１の記録レート設定手段は、当該同一タイトル名のタイトルを記録したときの記録レート、例えば記録レート（記録モード）ＳＰよりも１段階下げた記録レート（記録モード）ＬＰに設定する（ステップＳ６）。なお、記録レートを１段階下げて記録する場合の設定は、リモコン１３の機能表示キー２１７を押下して、ディスプレイ装置８１に機能メニュー画面を表示させ、記録レートを１段階さげると言う選択項目を選択して決定することにより設定される。
【００５０】
当該同一タイトル名のタイトルを記録したときの記録レートよりも１段階下げた記録レートに設定された後、記録レートを１段階下げたことにより、ＨＤ５ａの空き残量が増えることになるが、当該同一タイトル名のタイトルの記録レートを１段階下げた記録レートで記録したとすれば、ＨＤ５ａの空き残量が幾ら増えるかを、当該同一タイトル名のタイトルの再生時間（記録時間）と、最初に記録したときの記録レートと、１段階下げた記録レートとに基づいて求めることができる。例えば、当該同一タイトル名のタイトルの再生時間（記録時間）を３００分とし、最初に記録したときの記録レートを仮に１とし、１段階下げた記録レートを仮に０．５とした場合、当該同一タイトル名のタイトルを１段階下げた記録レートで記録し直すと、記録可能時間が６００分になり、この記録可能時間６００分のうち当該同一タイトル名のタイトルの記録に記録時間が３００分使用されるので、空き残量が３００分余分に増えることになる。
【００５１】
さて、空き残量が所望の残量以上であると判定されたとき（ステップＳ７）、システムコントローラ１０のリエンコードダビング実行手段は、ＨＤＤ５を制御して、前記１段階下げた記録レートで当該同一タイトル名のタイトルをリエンコードしてダビングを実行させる（ステップＳ９）。即ち、リエンコードダビング実行手段は、例えば、記録レート（記録モード）をＳＰからＬＰに変更し、記録レートＳＰでＨＤ５ａの或る領域に記録されている同一タイトル名のタイトルをＨＤＤ５の制御により所定量づつ読み出させ、記録レートＬＰで、ＨＤ５ａの異なる領域に同一タイトル名のタイトルを記録させる。
【００５２】
また、前記１段階下げた記録レートで当該同一タイトル名のタイトルをリエンコードしてダビングを実行させたと仮定すれば、システムコントローラ１０の第２の記録レート設定手段は、ＨＤ５ａの空き残量が所望の残量でないと判定したときに（ステップＳ７）、前記１段階下げた記録レートを更に１段階下げた記録レートに設定する（ステップＳ８）。そして、システムコントローラ１０のリエンコードダビング実行手段は、ＨＤＤ５を制御して、前記２段階下げた記録レートで当該同一タイトル名のタイトルをリエンコードしてダビングを実行させる（ステップＳ９）。
【００５３】
このようにして、前記第１の記録レート設定手段または前記第２の記録レート設定手段により設定された記録レートにより、当該同一タイトル名のタイトルはリエンコードダビングが実行され、システムコントローラ１０のタイトル削除手段が、当該同一タイトル名のタイトルの再生の終了を検知することにより、前記リエンコードダビングの終了を検知したとき（ステップＳ１０）、ダビング元のタイトル（最初の記録レートでＨＤ５ａに記録されていた当該同一タイトル名のタイトル）をまとめて削除する（ステップＳ１１）。これにより、ＨＤ５ａの空き残量が増えることになる。
【００５４】
次に、前記記録予約のタイトル名と同じタイトル名がタイトルリスト内に無いと判定されたときに（ステップＳ２）、システムコントローラ１０の同一周期記録タイトル名有無判定手段は、タイトルリスト内に同一周期の記録予約で記録されたタイトルのタイトル名が有るか否かを当該タイトルの管理情報により判定する（ステップＳ１３）。前記タイトルリスト内に同一周期の記録予約で記録されたタイトルのタイトル名が有ると判定されたとき、システムコントローラ１０の同一周期記録タイトル指定手段は、設定期間（例えば３ヵ月）の経過後に、タイトルリスト内に有る同一周期の記録予約で記録されたタイトルのタイトル名を当該タイトルの管理情報により検索して指定する（ステップＳ１４）。
【００５５】
次に、記録レートを１段階下げて当該タイトルを記録し直す場合には（ステップＳ５）、システムコントローラ１０の第１の記録レート設定手段は、当該同一周期記録タイトル名のタイトルを記録したときの記録レートよりも１段階下げた記録レートに設定する（ステップＳ６）。当該同一周期記録タイトル名のタイトルを記録したときの記録レートよりも１段階下げた記録レートに設定された後、記録レートを１段階下げたことにより、ＨＤ５ａの空き残量が増えることになるが、当該同一周期記録タイトル名のタイトルの記録レートを１段階下げた記録レートで記録したと仮定すれば、ＨＤ５ａの空き残量が幾ら増えるかを、当該同一周期記録タイトル名のタイトルの再生時間（記録時間）と、最初に記録したときの記録レートと、１段階下げた記録レートとに基づいて求めることができる。
【００５６】
空き残量が所望の残量以上であると判定されたとき（ステップＳ７）、システムコントローラ１０のリエンコードダビング実行手段は、ＨＤＤ５を制御して、前記１段階下げた記録レートで当該タイトルをリエンコードしてダビングを実行させる（ステップＳ９）。即ち、リエンコードダビング実行手段は、例えば、記録レート（記録モード）をＳＰからＬＰに変更し、記録レートＳＰでＨＤ５ａの或る領域に記録されている同一周期記録タイトル名のタイトルをＨＤＤ５により所定量づつ読み出させ、記録レートＬＰで、ＨＤ５ａの異なる領域に同一周期記録タイトル名のタイトルを記録させる。
【００５７】
また、前記１段階下げた記録レートで当該タイトルをリエンコードしてダビングを実行させたとすれば、システムコントローラ１０の第２の記録レート設定手段は、ＨＤ５ａの空き残量が所望の残量でないと判定したときに（ステップＳ７）、前記１段階下げた記録レートを更に１段階下げた記録レートに設定する（ステップＳ８）。そして、システムコントローラ１０のリエンコードダビング実行手段は、ＨＤＤ５を制御して、前記２段階下げた記録レートで当該同一周期記録タイトル名のタイトルをリエンコードしてダビングを実行させる（ステップＳ９）。
【００５８】
このようにして、前記第１の記録レート設定手段または前記第２の記録レート設定手段により設定された記録レートにより、当該同一周期記録タイトル名のタイトルはリエンコードダビングが実行され、システムコントローラ１０のタイトル削除手段が、当該同一周期記録タイトル名のタイトルの再生の終了を検知することにより、前記リエンコードダビングの終了を検知したとき（ステップＳ１０）、ダビング元のタイトル（最初の記録レートでＨＤ５ａに記録されていた当該同一周期記録タイトル名のタイトル）をまとめて削除する（ステップＳ１１）。これにより、ＨＤ５ａの空き残量が増えることになる。
【００５９】
次に、前記タイトルリスト内に同一周期の記録予約で記録されたタイトルのタイトル名が無いと判定されたとき（ステップＳ１３）、システムコントローラ１０の１回予約記録タイトル有無判定手段は、１回の記録予約により記録されたタイトルのタイトル名がタイトルリスト内に有る否かを当該タイトルの管理情報により判定する（ステップＳ１５）。そして、システムコントローラ１０の１回予約記録タイトル名指定手段は、設定された期間（例えば３ヶ月）の経過を検知したとき（ステップＳ１６）、前記１回の記録予約により記録されたタイトルのタイトル名を当該タイトルの管理情報により検索して指定する（ステップＳ１７）。この後は、ステップＳ５に戻り、以下同様な処理を行う。
【００６０】
なお、記録レートを下げたくない場合（ステップＳ５）、または複数の記録レートの内のどの記録レートでダビングし直す場合は、個別のタイトル毎に記録レートの設定が可能となって（ステップＳ１２）、同様にリエンコードダビングの実行（ステップＳ９）、ダビング終了の判定（ステップＳ１０）、リエンコードダビングの元のタイトルの削除（ステップＳ１１）が行われる。
【００６１】
以上説明したように本実施形態によれば、ハードディスクに記録されているタイトルを自動的に定期的に記録レートを下げて、リエンコードダビングを行って、ハードディスクの空き残量を増加できるようにしたので、ハードディスクの空き残量を増やすためにハードディスクに記録されているタイトルを移すＤＶＤなどの他の記録媒体が無い場合でも、ハードディスクのタイトルを極力削除せずに、ハードディスクの空き残量を定期的に増やすことができ、これにより、ハードディスクは常に十分な空き残量を確保でき、所望のタイトルをいつでも記録することが可能になり、使い勝手が向上する。
【００６２】
ハードディスク装置とＤＶＤレコーダとの複合型記録再生装置であれば、ハードディスクに記録されたタイトルをＤＶＤにダビングし、その後、ハードディスクのタイトルを削除すれば、ハードディスクの空き残量を増やすことができるが、単体のハードディスク装置の場合でも、手元に、ＤＶＤレコーダや、別のハードディスク装置などが無くでも、ハードディスクに記録されているタイトルを削除することなく自動的に定期的にハードディスクの空き残量を増やすことができるので、ハードディスクを有効に活用でき、ユーザにとっても便利になる。
【産業上の利用可能性】
【００６３】
本発明は、ハードディスクレコーダ（ハードディスク装置）に利用可能であり、ハードディスクの空き残量を増やすことができる。
【図面の簡単な説明】
【００６４】
【図１】本発明の一実施形態に係るハードディスク装置の構成を示すブロック図である。
【図２】前記実施形態においてリモコンのキー配置の一例を示す図である。
【図３】前記実施形態においてディスプレイ装置に表示される記録予約画面の一例を示す表示画面図である。
【図４】前記実施形態においてディスプレイ装置に表示されるタイトルリスト画面の一例を示す表示画面図である。
【図５】前記実施形態のハードディスク装置において記録予約のタイトル名が無くなったときの処理を説明するためのフローチャートである。
【符号の説明】
【００６５】
Ａ    ハードディスク装置
５ａ    ハードディスク
１０    システムコントローラ
【図１】
2008219567.tif 000003
【図２】
2008219567.tif 000004
【図３】
2008219567.tif 000005
【図４】
2008219567.tif 000006
【図５】
2008219567.tif 000007